(57)【特許請求の範囲】
【請求項１】
上位ネットワーク上で唯一の端末を指定する上位ネットワークアドレスと、ルータを介さずに通信可能な下位ネットワーク上で唯一の前記端末を指定する下位ネットワークアドレスとを有する複数の前記端末から構成されるネットワークシステムにおいて、
前記下位ネットワークのアドレス管理端末の下位ネットワークアドレスが、全ての下位ネットワークで共通の値であることを特徴とする情報ネットワークシステム。
【請求項２】
前記端末が、その所属する下位ネットワークから他の下位ネットワークへ移動した際に、ルーティング変更要求を送信するルーティング変更送信手段を具備することを特徴とする請求項１に記載の情報ネットワークシステム。
【請求項３】
前記下位ネットワークの集中制御装置が、前記端末が所属する下位ネットワークから他の下位ネットワークへ移動した際に、ルーティング変更要求を送信するルーティング変更送信手段を具備することを特徴とする請求項１に記載の情報ネットワークシステム。
【請求項４】
前記下位ネットワークのアドレス管理端末が、前記端末が所属する下位ネットワークから他の下位ネットワークへ移動した際に、ルーティング変更要求を送信するルーティング変更送信手段を具備することを特徴とする請求項１に記載の情報ネットワークシステム。
【請求項５】
前記上位ネットワークの集中制御装置が、前記端末が所属する下位ネットワークから他の下位ネットワークへ移動した際に、ルーティング変更要求を送信するルーティング変更送信手段を具備することを特徴とする請求項１に記載の情報ネットワークシステム。
【請求項６】
前記端末が、電源から抜かれた際に、少なくとも一回データを送信する電力を供給するバックアップ電源と、
電源から抜かれた際にネットワークからの削除要求を同報送信するする削除要求送信手段とを具備することを特徴とする請求項１に記載の情報ネットワークシステム。
【請求項７】
伝送媒体として電力線を用いた請求項１に記載のネットワークシステムにおいて、
前記端末が、その電力線への接続プラグに、コンセントから抜かれることを抜かれる前に検出する検出手段と、
コンセントから抜かれることが検出された際に、ネットワークからの削除要求を送信する削除要求送信手段とを具備することを特徴とする情報ネットワークシステム。
【請求項８】
伝送媒体として電力線を用いた請求項１に記載のネットワークシステムにおいて、
電力線コンセントに、プラグが抜けたことを検知する検知手段と、
プラグが抜けたことが検知された際に、ネットワークからの削除要求を送信する削除要求送信手段とを具備することを特徴とする情報ネットワークシステム。
【発明の詳細な説明】
【０００１】
【発明の属する技術分野】
本発明は、複数のネットワーク間で端末が移動した際の所属ネットワークの変更による削除および追加処理を容易にした情報ネットワークシステムに関する。
【０００２】
【従来の技術】
従来、赤外線や無線、電灯線などの異なる複数の伝送媒体や通信プロトコルが混在して一つのネットワークシステムを構成する場合がある。図７は、一例として、下位ネットワークである赤外線ＬＡＮ（Local Area Netwoek）、赤外線ＬＯＮ（Local Operating Netwark：ＥＣＨＥＬＯＮの商標）Ｉ、赤外線ＬＯＮII、無線ＬＯＮを、伝送媒体に電灯線を用いた上位ネットワークで統合した構成例を示す。
【０００３】
赤外線ＬＯＮＩは、例えば伝送媒体に赤外線を用いた一般家庭のリビングルームのネットワーク、赤外線ＬＯＮIIは、例えば伝送媒体に赤外線を用いた寝室のネットワークを示す。伝送媒体に電灯線を用いた上位ネットワークでは、ネットワーク全体を管理する集中制御装置が存在し、さらに複数のネットワーク端末や、ネットワークルータ、上位ネットワークゲートウェイ、上位ネットワークブリッジなどさまざまな端末によって構成されている。なお集中制御装置は無くてもよい。
【０００４】
【発明が解決しようとする課題】
しかしながら、各下位ネットワークを構成している端末を、所属しているネットワークから削除して別の下位ネットワークへ追加する場合（例えばリビングルームで使用していた照明の端末を寝室のネットワークへ移す場合など）は、一度所属していたネットワークから削除処理（ネットワークアドレスの削除と各端末上でのアドレステーブルの書き換えやルーティング情報の変更処理など）を行い、その後別のネットワークへ追加処理（新しいネットワークアドレスの割り振り、各端末のアドレステーブルの追加やルーティング情報の追加など）を行う必要があった。この場合の移動先のネットワークでの追加処理は、新しくアドレスを割り振る際に、アドレスが重複することを避けるため、さまざまな重複検証処理を行わねばならず、非常に煩雑で面倒な処理を行うことによって不具合が発生する原因となっていた。
【０００５】
図８は、一例として端末ｃが、所属ネットワークから他のネットワークへの移動に伴う、削除および追加の処理を示すフローチャートであり、以下の処理を行う必要があった。
【０００６】
端末ｃがネットワークＩ（赤外線ＬＯＮＩ）から削除する（ＳＴ１１）。端末ｃが一斉同報によってネットワークII（赤外線ＬＯＮII）に追加要求を行う（ＳＴ１２）。ＬＯＮルータII（アドレス管理装置）が追加端末ｃへＬＯＮルータIIのアドレスを送信する（ＳＴ１３）。端末ｃがＬＯＮルータIIへ新たなアドレスを要求すると共に、端末ｃの属性を通知する（ＳＴ１４）。ＬＯＮルータIIは端末ｃへ下位ネットワークアドレスを通知する（ＳＴ１５）。ＬＯＮルータIIは上位ネットワーク集中管理装置へ端末ｃの上位ネットワークアドレスを要求する（ＳＴ１６）。上位ネットワーク集中管理装置はＬＯＮルータIIへ端末ｃの上位ネットワークアドレスを返信する（ＳＴ１７）。ＬＯＮルータIIは端末ｃへ上位ネットワークアドレスを返信する（ＳＴ１８）。上位ネットワーク集中管理装置は各端末装置へ一斉同報により、端末ｃの上位ネットワークアドレスをアドレステーブルに追加する要求を行う（ＳＴ１９）。各端末装置は端末ｃの上位ネットワークアドレスをアドレステーブルに追加処理する（ＳＴ２０）。ＬＯＮルータIIはＬＯＮルータＩへ端末ｃの削除を要求する（ＳＴ２１）。ＬＯＮルータＩは端末ｃを削除処理する（ＳＴ２２）。
【０００７】
また、複数の端末から構成されるネットワークで、ある端末をネットワークから削除する場合、予告無く電源が抜かれるため、ネットワーク上の親機、ルータあるいはその他の端末は、削除されたのかまたは何らかの通信障害で通信不能なのか判断ができない不具合が発生していた。
【０００８】
そこで本発明は、複数のネットワーク間で端末が移動した際の所属ネットワークの変更による削除および追加処理を容易にすると共に、予告無く端末の電源が抜かれた場合でも確実な削除処理を可能とする情報ネットワークシステムを提供することを目的とする。
【０００９】
【課題を解決するための手段】
上述の課題を解決するため、本発明の情報ネットワークシステムは、上位ネットワーク上で唯一の端末を指定する上位ネットワークアドレスと、ルータを介さずに通信可能な下位ネットワーク上で唯一の前記端末を指定する下位ネットワークアドレスとを有する複数の前記端末から構成されるネットワークシステムにおいて、前記下位ネットワークのアドレス管理端末の下位ネットワークアドレスが、全ての下位ネットワークで共通の値であることを特徴とする。
【００１０】
図１は上記情報ネットワークシステムの構成図である。下位ネットワークＩ、下位ネットワークIIが、全体ネットワーク（上位ネットワーク）で統合され、集中制御装置によって管理されている。本ネットワークシステムでは、各端末が、上位ネットワーク上で唯一の端末を指定する上位ネットワークアドレスと、ルータを介さずに通信可能な下位ネットワーク上で唯一の端末を指定する下位ネットワークアドレスとを有する。各端末に割り当てられたアドレスを、「上位アドレス／下位アドレス」として示す。なお、集中制御装置は、上位アドレスのみを有する。
【００１１】
下位ネットワークＩでは上位／下位アドレスとして、ＬＯＮルータＩに２／１、端末ａに４／２、端末ｂに５／３、端末ｃに６／４が割り当てられている。
【００１２】
下位ネットワークIIでは上位／下位アドレスとして、ＬＯＮルータIIに３／１、端末ｄに７／４、端末ｅに８／３、端末ｆに９／２が割り当てられている。
【００１３】
下位ネットワークＩのＬＯＮルータＩ（アドレス管理端末）の下位ネットワークアドレスと、下位ネットワークIIのＬＯＮルータIIの下位ネットワークアドレスが、共に１で共通の値である。なおＬＯＮルータＩの上位ネットワークアドレスは２であり、ＬＯＮルータIIの上位ネットワークアドレスは３であるので、上位ネットワークではそれぞれを識別できる。
【００１４】
以上の構成によって、端末が所属ネットワークを変更する際、移動先のアドレス管理端末の下位ネットワークアドレスを新たに取得しなくて済む。
【００１５】
【発明の実施の形態】
以下、本発明の実施の形態を、図面を参照しながら説明する。
【００１６】
図２は本発明に係る実施の形態の構成図である。下位ネットワークであるＬＯＮネットワークＩ、ＬＯＮネットワークIIが、上位ネットワークであるエコーネットネットワークで統合され、エコーネット集中制御装置によって管理されている。本ネットワークシステムでは、各端末が、上位ネットワーク上で唯一の端末を指定する上位ネットワークアドレスと、ルータを介さずに通信可能な下位ネットワーク上で唯一の端末を指定する下位ネットワークアドレスとを有する。各端末に割り当てられたアドレスを、「上位アドレス／下位アドレス」として示す。なお、エコーネット集中制御装置は、上位アドレスのみを有する。
【００１７】
ＬＯＮネットワークＩでは上位／下位アドレスとして、ＬＯＮルータＩに２／１、端末ａに４／２、端末ｂに５／３、端末ｃに６／４が割り当てられている。
【００１８】
ＬＯＮネットワークIIでは上位／下位アドレスとして、ＬＯＮルータIIに３／１、端末ｄに７／４、端末ｅに８／３、端末ｆに９／２が割り当てられている。
【００１９】
ＬＯＮネットワークＩのＬＯＮルータＩ（アドレス管理端末）の下位ネットワークアドレスと、ＬＯＮネットワークIIのＬＯＮルータIIの下位ネットワークアドレスが、共に１で共通の値である。なおＬＯＮルータＩの上位ネットワークアドレスは２であり、ＬＯＮルータIIの上位ネットワークアドレスは３であるので、上位ネットワークではそれぞれを識別できる。この上位ネットワークアドレスは端末の生産時に予め決められた方法に従って割り振る、あるいは上位ネットワークに追加された際に、集中制御装置またはその他のアドレス管理端末が割り振る。
【００２０】
図３に示すフローチャートを用いて、本実施の形態のＬＯＮネットワークＩ（例えばリビングルームのネットワーク）に所属する端末ｃが、寝室に移動してＬＯＮネットワークIIに追加変更する処理を説明する。
【００２１】
端末ｃは、ＬＯＮネットワークＩにおいて上位ネットワークアドレス６、下位ネットワークアドレス４が割り振られている。ここで端末ｃをリビングルームから寝室に移動させ寝室のネットワークに追加したときには、まず、端末ｃをネットワークＩから削除する（ＳＴ１）。そして端末ｃは、ＬＯＮネットワークIIのＬＯＮルータII（上位ネットワークアドレス３、下位ネットワークアドレス１）にネットワークへの追加要求をすると共に、端末ｃの属性を通知する（ＳＴ２）。従来では、まず端末ｃがＬＯＮルータIIのアドレスを取得することから始めないと送受信が成立しなかったが、本願発明では、ＬＯＮルータの下位ネットワークアドレス（本実施例では１）を予め決めてあるので、バインディング処理などの手続をせずに送受信が可能となる。
【００２２】
上記のネットワークへの追加要求を受けたＬＯＮルータIIは、送信元の端末ｃが既に上位ネットワークアドレスを取得していることから、ネットワークの所属が変更されただけと認識して、上位ネットワークアドレスの割り振り要求を上位のネットワークアドレス管理装置に対して行わずに、ＬＯＮルータIIは端末ｃへ下位ネットワークアドレスを通知する（ＳＴ３）。そして以前に端末ｃが所属していたＬＯＮネットワークＩのＬＯＮルータＩに対してネットワークからの削除処理を依頼し、ＬＯＮルータＩは端末ｃを削除処理する（ＳＴ４）。ＬＯＮルータIIは端末ｃのルーティング変更のために、端末ｃの所属ネットワーク変更を上位の各端末に対して送信する（ＳＴ５）。
【００２３】
なお、本実施の形態ではルーティング変更要求の送信を、アドレス管理端末であるＬＯＮルータIIが行ったが、端末ｃまたはＬＯＮネットワークIIの集中制御装置（図示省略）あるいはエコーネット集中制御装置（上位ネットワーク集中制御装置）が行う構成とすることもできる。
【００２４】
以上の処理で所属ネットワークの変更に要する処理を大幅に軽減することができる。
【００２５】
図４は、本発明の他の実施の形態の情報ネットワークシステムの説明図である。各端末ａ〜ｃには、電源が抜かれてから少なくとも一回データを送信する電力を供給するバックアップ電源を持たせ、電源から抜かれた際にネットワークからの削除要求を一斉同報する。この一斉同報を受信した他の端末は、管理装置（ネットワーク上のアドレス管理を行う端末）に対して、この削除要求を転送する。これによって確実に削除処理が可能となる。
【００２６】
図５は、伝送媒体として、電力線を用いたネットワークシステムにおいて、端末の電力線コンセントへの接続プラグを示す。この端末をネットワークから削除する場合に、接続プラグを抜くが、その際押しボタンスイッチを押すことによってロック用ツメがはずれ、プラグをコンセントから抜くことができる。この押しボタンスイッチを押すことによって、端末はコンセントから抜かれることを抜かれる前に検出し、ネットワークからの削除要求を送信する。その結果、ネットワークからの削除処理が確実に行える。
【００２７】
次に図６は、伝送媒体として、電力線を用いたネットワークシステムにおいて、電力線コンセントにプラグ抜けを検知するためのアダプタ形式の通信端末を示し、この通信端末にコンセントが挿入されると押されるスイッチを設ける。これによって、ネットワークからの削除と停電とを区別し、プラグが抜けたことが検知された際に、ネットワークからの削除要求を送信する。その結果、ネットワークを構成する他の端末は、停電時は設定されたアドレス情報を保持し、また削除時はそれらの情報の消去などの削除処理を行うことで、ネットワークからの削除と停電による一時的なネットワーク通信不良とを区別することができる。
【００２８】
【発明の効果】
以上説明した通り、本発明の情報ネットワークシステムは、端末が所属ネットワークを変更する際、移動先のアドレス管理端末の下位ネットワークアドレスを新たに取得しなくて済むので、端末の所属ネットワークの変更に要する削除や追加処理、アドレステーブル変更処理などの手続を大幅に軽減することができる。
【００２９】
また、端末が電力線から抜かれた際に、削除要求を送信する手段を設けることによって、ネットワークからの削除処理を確実に行うことができる。
【図面の簡単な説明】
【図１】本発明の情報ネットワークシステムの構成図である。
【図２】本発明に係る実施の形態の構成図である。
【図３】端末が所属ネットワークから他のネットワークへ移動する際の処理を示すフローチャートである。
【図４】本発明の他の実施の形態の情報ネットワークシステムの説明図である。
【図５】端末の電力線コンセントへの接続プラグを示す図である。
【図６】プラグ抜けを検知するためのアダプタ形式の通信端末を示す図である。
【図７】従来のネットワークシステムの構成例を示す図である。
【図８】端末が、所属ネットワークから他のネットワークへ移動する際の、従来の処理を示すフローチャートである。
【符号の説明】
ａ〜ｆ…端末。
【図１】
0003875419.tif 000002
【図２】
0003875419.tif 000003
【図３】
0003875419.tif 000004
【図４】
0003875419.tif 000005
【図５】
0003875419.tif 000006
【図６】
0003875419.tif 000007
【図７】
0003875419.tif 000008
【図８】
0003875419.tif 000009